(57)【要約】【課題】下地材と梁との干渉を回避しつつ、天井高さをより高くする。【解決手段】梁２と、梁２の下方位置に設置される石膏ボード４と、石膏ボード４の上方位置に配置された天井パネル３と、を有する建物の天井１において、天井パネル３は、隙間Ｓを隔てて並んだ複数の天井パネル片３ａ、３ｂに分かれており、梁２の下端部は、隙間Ｓ内に入り込んでおり、梁２の下端部の脇に位置する各天井パネル片３ａ、３ｂは、梁２の下端部に組み付けられた金物５によって吊られることで梁２に支持されている。【選択図】図２Ａ
2018154968.tif 000002
【特許請求の範囲】
【請求項１】
梁と、梁の下方位置に設置される天井板と、該天井板を固定するために該天井板の上方位置に配置された下地材と、を有する建物の天井であって、
前記下地材は、隙間を隔てて並んだ複数の下地材断片に分かれており、
前記梁の下端部は、前記下地材断片間の前記隙間内に入り込んでおり、
前記梁の下端部の脇に位置する前記下地材断片の各々は、前記梁の下端部に組み付けられた吊り具によって吊られることで前記梁に支持されていることを特徴とする建物の天井。
【請求項２】
前記下地材断片は、桟木からなり、
前記吊り具は、前記隙間の隣に位置する前記桟木を吊るための金物によって構成されていることを特徴とする請求項１に記載の建物の天井。
【請求項３】
前記吊り具は、前記隙間の隣に位置する前記桟木に固定される桟木側固定部を有し、
前記桟木側固定部は、前記桟木の角部に係合するように屈曲していることを特徴とする請求項２に記載の建物の天井。
【請求項４】
前記吊り具は、前記梁の下端部に設けられたフランジ部に係合する梁側係合部を有する請求項１乃至請求項３のいずれか一項に記載の建物の天井。
【請求項５】
前記隙間内に板状部材が設置されており、
該板状部材は、複数の前記下地材断片の、前記隙間の隣に位置する部分に取り付けられていることを特徴とする請求項１乃至４のいずれか一項に記載の建物の天井。
【請求項６】
前記隙間の下方位置に板状部材が設置されており、
該板状部材は、複数の前記下地材断片の、前記隙間の隣に位置する部分の下面に当接し、前記隙間の隣に位置する部分同士を連結していることを特徴とする請求項１乃至４のいずれか一項に記載の建物の天井。
【請求項７】
前記天井板のうち、前記隙間の下に位置する部分は、前記板状部材に固定されていることを特徴とする請求項５又は６に記載の建物の天井。
【請求項８】
前記板状部材と前記梁との間に断熱材が配置されていることを特徴とする請求項５乃至７のいずれか一項に記載の建物の天井。
【発明の詳細な説明】
【技術分野】
【０００１】
本発明は、建物の天井に係り、特に、梁の下方位置に配置された天井板を下地材に固定してなる建物の天井に関する。
【背景技術】
【０００２】
建物の天井を構築する際に、例えば桟木からなる天井パネル等の下地材を梁の下方位置に配置し、例えば石膏ボード等の天井板を下地材の下面に固定することは、既に知られている。また、建物の天井構造において、通常、下地材は、梁に支持される。この際、特許文献１に記載された吊り金物を利用すれば、下地材を梁に吊り下げて支持することが可能となる。
【先行技術文献】
【特許文献】
【０００３】
【特許文献１】特開平８−２７０１３５号公報
【発明の概要】
【発明が解決しようとする課題】
【０００４】
ところで、天井高さ（床から天井までの距離）が従来の建物よりも高く設定された建物を建設しようとする場合、その対応策としては、梁の位置を変えずに下地材及び天井板の位置を上方に上げて梁に近付けることが考えられる。ただし、下地材を梁に近付けようとすると、下地材が梁と干渉してしまう虞がある。
【０００５】
そこで、本発明は、上記の課題に鑑みてなされたものであり、その目的とするところは、下地材と梁との干渉を回避しつつ、天井高さをより高くすることが可能な建物の天井を提供することである。
【課題を解決するための手段】
【０００６】
前記課題は、本発明の建物の天井によれば、梁と、梁の下方位置に設置される天井板と、該天井板を固定するために該天井板の上方位置に配置された下地材と、を有する建物の天井であって、前記下地材は、隙間を隔てて並んだ複数の下地材断片に分かれており、前記梁の下端部は、前記下地材断片間の前記隙間内に入り込んでおり、前記梁の下端部の脇に位置する前記下地材断片の各々は、前記梁の下端部に組み付けられた吊り具によって吊られることで前記梁に支持されていることにより解決される。
【０００７】
上記のように構成された本発明の建物の天井では、下地材が、隙間を隔てて並んだ複数の下地材断片に分かれている。そして、梁の下端部が下地材断片間の隙間内に入り込んでおり、梁の下端部の脇に位置する下地材断片の各々が梁の下端部に組み付けられた吊り具によって吊られている。このような構成であれば、下地材と梁との干渉を回避しつつ、下地材の位置を上げることが可能となる。すなわち、梁の下端部が下地材断片間の隙間内に入り込んだ分、下地材及び天井板をより上方に配置し、天井高さをより高くすることが可能となる。
【０００８】
また、上記の建物の天井において、前記下地材断片は、桟木からなり、前記吊り具は、前記隙間の隣に位置する前記桟木を吊るための金物によって構成されているとよい。
上記の構成では、桟木からなる下地材を複数の下地材断片に分割し、下地材断片間の隙間に梁の下端部を入り込ませることで、天井高さをより高くすることが可能となる。
【０００９】
また、上記の建物の天井において、前記吊り具は、前記隙間の隣に位置する前記桟木に固定される桟木側固定部を有し、前記桟木側固定部は、前記桟木の角部に係合するように屈曲しているとよい。
上記の構成では、吊り具としての金物を、下地材を構成する桟木に取り付ける際に、金物が有する桟木側固定部を桟木の角部に係合させて取り付ける。かかる構成であれば、金物を容易に桟木に取り付けることが可能である。
【００１０】
また、上記の建物の天井において、前記吊り具は、前記梁の下端部に設けられたフランジ部に係合する梁側係合部を有するとよい。
上記の構成では、吊り具を梁に取り付ける際に、梁の下端部に設けられたフランジ部に吊り具の梁側係合部を係合させることで取り付ける。かかる構成であれば、吊り具を容易に梁に取り付けることが可能である。
【００１１】
また、上記の建物の天井において、前記隙間内に板状部材が設置されており、該板状部材は、複数の前記下地材断片の、前記隙間の隣に位置する部分に取り付けられているとよい。あるいは、上記の建物の天井において、前記隙間の下方位置に板状部材が設置されており、該板状部材は、複数の前記下地材断片の、前記隙間の隣に位置する部分の下面に当接し、前記隙間の隣に位置する部分同士を連結しているとよい。
【００１２】
さらに、上記の建物の天井において、前記天井板のうち、前記隙間の下に位置する部分は、前記板状部材に固定されていると好適である。
上記の構成では、隙間内に板状部材が設置されており、この板状部材に天井板が固定される。かかる構成であれば、下地材断片がない箇所においても天井板を固定することが可能である。
【００１３】
また、上記の建物の天井において、前記板状部材と前記梁との間に断熱材が配置されているとよい。
上記の構成では、梁と板状部材との間、換言すると、下地材断片の間の隙間に断熱材が配置されているため、上記の隙間における断熱性能や耐火性等を確保するとともに、上記の隙間付近での遮音性を向上させることが可能となる。
【発明の効果】
【００１４】
本発明の建物の天井によれば、天井板の下地材を複数の断片（下地材断片）に分割し、断片間に形成される隙間に梁の下端部を入り込ませることで、下地材と梁との干渉を回避しつつ、天井高さをより高くすることが可能になる。
【図面の簡単な説明】
【００１５】
【図１】本発明の建物の天井構造を示す図であり、天井の一部を上方から見た模式平面図である。
【図２Ａ】図１のＡ−Ａ断面を示す図である。
【図２Ｂ】第一の変形例に係る天井構造を示す図である。
【図３】第二の変形例の天井構造を示す図である。
【発明を実施するための形態】
【００１６】
以下、本発明の一実施形態（以下、本実施形態）について説明する。なお、以下に説明する実施形態は、本発明の理解を容易にするためのものであり、本発明を限定するものではない。すなわち、本発明は、その趣旨を逸脱することなく、変更、改良され得る。また、当然ながら、本発明にはその等価物が含まれ得る。
【００１７】
本実施形態に係る建物の天井（以下、天井１）は、図１に示すように、梁２と、下地材としての天井パネル３と、天井板としての石膏ボード４と、吊り具としての金物５と、を有する。なお、天井１は、通常の建物の天井よりも高い位置（厳密には、床からの距離がより長くなるように設定された位置）に設定されている。つまり、本実施形態に係る建物では、天井高さが通常の建物よりも高くなっている。
【００１８】
梁２は、Ｈ形鋼からなり、所定方向に長く延びた状態で配置されている。また、図２Ａに示すように、梁２の下方位置には石膏ボード４が配置されている。また、石膏ボード４の上方位置には、図２Ａに示すように石膏ボード４を固定するための天井パネル３が設置されている。この天井パネル３は、野縁材であり、石膏ボード４をビス止めするために用いられる。
【００１９】
そして、本実施形態では、一枚の石膏ボード４を固定するために用いられる天井パネル３が複数の断片に分割されており、具体的には、図１に示すように２つの天井パネル片３ａ、３ｂに分かれている。各天井パネル片３ａ、３ｂは、下地材断片に相当する。
【００２０】
各天井パネル片３ａ、３ｂは、図１に示すように、格子状に組まれた桟木からなり、梁２と直交する方向に延びた桟木（以下、直交部３ｘ）と、梁２と平行な方向に延びた桟木（以下、平行部３ｙ）とを有する。
【００２１】
また、２つの天井パネル片３ａ、３ｂは、隙間Ｓを隔てて並んでいる。この隙間Ｓは、梁２の横幅（厳密には、梁２のフランジ部の横幅）よりも幅広となるように形成されている。そして、図２Ａに示すように、隙間Ｓには、梁２の下端部に設けられたフランジ部２ａが入り込んでいる。つまり、本実施形態では、梁２の下端部が２つの天井パネル片３ａ、３ｂの間に挟み込まれている。より具体的に説明すると、梁２の下端部の脇位置には、各天井パネル片３ａ、３ｂを構成する桟木のうち、平行部３ｙが配置されている。この平行部３ｙ（より厳密には、梁２に最も近い位置にある平行部３ｙ）は、隙間Ｓの隣に位置する桟木（部分）に相当する。
【００２２】
そして、梁２の下端部の脇に位置する各天井パネル片３ａ、３ｂの平行部３ｙは、図２Ａに示すように、金物５によって吊られている。これにより、各天井パネル片３ａ、３ｂが梁２に支持されている。
【００２３】
金物５の構成について説明すると、金物５は、梁２の下端部に位置するフランジ部２ａ（以下、下側フランジ部２ａともいう）に組み付けられた状態で利用される。具体的に説明すると、金物５は、図２Ａに示すように、梁２の下側フランジ部２ａに係合している梁側係合部５ａと、天井パネル片３ａ、３ｂの平行部３ｙに固定されている桟木側固定部５ｂと、梁側係合部５ａ及び桟木側固定部５ｂの間を連結している高さ調整部５ｃと、を有する。
【００２４】
梁側係合部５ａは、鉄またはアルミ等からなる上下一対の金属板ａ１、及びボルトａ２によって構成されている。上下一対の金属板ａ１のうち、上方に位置する金属板ａ１は、略Ｌ字状をなし、その短辺部分が梁２の下側フランジ部２ａの上面に載せられている。また、下方に位置する金属板ａ１は、略Ｌ字状をなし、その短辺部分が梁２の下側フランジ部２ａの底面に当接している。ボルトａ２は、上下一対の金属板ａ１の各々の短辺部分を貫いた状態でセットされている。そして、ボルトａ２にナットａ３が装着され、このナットａ３が締め込まれることにより、上下一対の金属板ａ１が短辺部分同士の間に梁２の下側フランジ部２ａを挟み込む。このような構成により、梁側係合部５ａが梁２の下側フランジ部２ａに係合されている。
【００２５】
桟木側固定部５ｂは、鉄またはアルミ等からなる金属板からなり、図２Ａに示すように略Ｌ字状に屈曲している。そして、桟木側固定部５ｂは、同図に示すように、各天井パネル片３ａ、３ｂの平行部３ｙの角部と係合しており、具体的には、略Ｌ字状の桟木側固定部５ｂの内側に平行部３ｙの角部を当接させている。なお、桟木側固定部５ｂは、各天井パネル片３ａ、３ｂの平行部３ｙにネジ止めされている。
【００２６】
また、桟木側固定部５ｂの上端部は、図２Ａに示すように横向きＵ字状に折り返されており、折り返された部分には、後述の高さ調整ボルトｃ１を通す長孔（不図示）が設けられている。
【００２７】
高さ調整部５ｃは、桟木側固定部５ｂの高さを調整するものであり、図２Ａに示すように、高さ調整ボルトｃ１と、高さ調整ボルトｃ１を支持するボルト支持部ｃ２と、を有する。高さ調整ボルトｃ１は、その頂部が桟木側固定部５ｂの上端部の折り返し部分に形成された長孔に挿入された状態でセットされている。また、高さ調整ボルトｃ１にはナットｃ３が装着されている。そして、このナットｃ３が締め込まれることで、高さ調整ボルトｃ１の頭部と上記ナットとの間に桟木側固定部５ｂの上端部の折り返し部分が挟み込まれ、高さ調整ボルトｃ１が桟木側固定部５ｂによって保持される。
【００２８】
ボルト支持部ｃ２は、梁側係合部５ａが有する金属板ａ１と連続した状態で設けられており、図２Ａに示すように当該金属板ａ１の上端から側方へ張り出している。このボルト支持部ｃ２には、高さ調整ボルトｃ１を挿入させるための挿入孔（不図示）が形成されている。また、高さ調整ボルトｃ１のうち、挿入孔の直下に位置する箇所にはナットｃ４が装着されており、挿入孔の直上に位置する箇所には蝶ナットｃ５が装着されている。ナットｃ４及び蝶ナットｃ５の間にはボルト支持部ｃ２が挟持されている。
【００２９】
そして、高さ調整ボルトｃ１に対するナットｃ４および蝶ナットｃ５の螺合位置を調整することにより、桟木側固定部５ｂのレベル（水平レベル）が調整される。また、桟木側固定部５ｂのレベルを調整することで、桟木側固定部５ｂに固定された平行部３ｙを含む天井パネル片３ａ、３ｂのレベル（水平レベル）が調整されるようになる。
【００３０】
以上までに説明してきたように、本実施形態では、天井パネル３を２つの天井パネル片３ａ、３ｂに分割し、梁２の下端部が天井パネル片３ａ、３ｂの間の隙間Ｓに入り込み、各天井パネル片３ａ、３ｂが梁２の下側フランジ部２ａに取り付けた金物５によって吊り下げられる。かかる構成により、天井パネル３と梁２との干渉を回避しつつ、天井パネル３及び石膏ボード４の位置を上方に上げることが可能となる。すなわち、梁２の下端部が天井パネル片３ａ、３ｂの間の隙間Ｓ内に入り込んだ分、天井パネル３及び石膏ボード４をより上方に配置し、天井高さをより高くすることが可能となる。
【００３１】
また、本実施形態では、図２Ａに示すように、隙間Ｓ内に若干の厚みを有する合板６が配置されている。この合板６は、板状部材の一例であり、ベニア等の木板を積層させたものである。合板６は、隙間Ｓ内において梁２の下端よりも下方に配置されており、より厳密には、合板６の下面と隙間Ｓの下側開口とが同じ高さに位置するように配置されている。
【００３２】
また、合板６は、各天井パネル片３ａ、３ｂのうち、隙間Ｓの隣に位置する部分（すなわち、平行部３ｙ）に取り付けられている。より詳しく説明すると、各天井パネル片３ａ、３ｂの平行部３ｙをなす桟木の側面には、図２Ａに示すように、合板取り付け用の角材（以下、合板取り付け材７）が貼り付けられている。この合板取り付け材７は、隙間Ｓ内において金物５から外れた位置に配置されている。
【００３３】
そして、合板取り付け材７の下面に合板６の上面の側端部が当接しており、かかる状態で合板６が釘等の締結具によって合板取り付け材７に固定されている。
【００３４】
以上のように本実施形態では隙間Ｓの下端部に合板６が配置されている。また、隙間Ｓの直下位置には石膏ボード４が配置されている。そして、石膏ボード４のうち、隙間Ｓの直下に位置する部分は、合板６にビス止めされることになっている。かかる構成によれば、天井パネル片３ａ、３ｂを構成する桟木がない箇所においても石膏ボード４を固定することが可能である。つまり、隙間Ｓの直下位置でもビス止めが可能となり、石膏ボード４を固定するためのビスを一定ピッチで打ち込む際に、隙間Ｓ付近においてもピッチを変えずに打ち込むことが可能である。
【００３５】
また、隙間Ｓ内において梁２の下端と合板６の上端との間には断熱材８が配置されている。具体的には、マット状に成形されたグラスウールが配置されている。これにより、隙間Ｓ内の断熱性能や耐火性等を確保することが可能となる。また、グラスウールの配置により、隙間Ｓ付近での遮音性も向上するようになる。
【００３６】
なお、断熱材８としては、グラスウール以外にも利用可能であり、例えば、ポリスチレン、ウレタン、フェノールフォーム等も利用可能である。これらの断熱材であれば、グラスウールよりも薄い厚みで所定の断熱性能や耐火性を確保することができるので、その分、断熱材８の厚みを薄くすることが可能となる。このように断熱材８の厚みが薄くなれば、天井パネル片３ａ、３ｂや石膏ボード４を更に上方に上げて天井高さをより高くすることが可能となる。
【００３７】
以上までに本発明の一実施形態を説明したが、上記以外の実施形態も考えられる。具体的に説明すると、上記の実施形態では、合板６が隙間Ｓ内に配置されており、合板取り付け材７を介して各天井パネル片３ａ、３ｂの平行部３ｙ（桟木）に固定されていることとした。ただし、これに限定されるものではなく、例えば、図２Ｂのように合板取り付け材７を用いず、合板６を平行部３ｙに直に固定してもよい。具体的には、同図に示すように、各天井パネル片３ａ、３ｂの平行部３ｙ（すなわち、隙間Ｓの隣に位置する部分）の底面を合板６の厚み分だけ上げて、当該平行部３ｙの高さをその分だけ短くする。その上で、各平行部３ｙの底面の直下に合板６の側端部が位置するように合板６を配置し、その状態で合板６の側端部を各平行部３ｙにネジ止めする。この結果、合板６は、隙間Ｓの下方位置に設置され、各天井パネル片３ａ、３ｂの平行部３ｙの下面に当接し、平行部３ｙ同士を連結するようになる。以上の構成であれば、合板取り付け材７を用いずに合板６を各天井パネル片３ａ、３ｂの平行部３ｙに固定することが可能となる。
【００３８】
また、上記の実施形態では、隙間Ｓ内に合板６を配置することとしたが、これに限定されるものではない。例えば、図３に示すように、合板６の代わりに薄厚の鋼板９を板状部材として用いてもよい。具体的には、同図に示すように隙間Ｓを跨ぐ位置に上記の鋼板９を配置し、当該鋼板９の両端部を各天井パネル片３ａ、３ｂの下面に固定する。そして、上記の鋼板に石膏ボード４をビス止めする。以上のように合板６よりも薄い鋼板９を利用すれば、その分、天井パネル片３ａ、３ｂや石膏ボード４を更に上方に上げて天井高さをより高くすることが可能となる。
【符号の説明】
【００３９】
１  天井（建物の天井）
２  梁
２ａ  フランジ部
３  天井パネル（下地材）
３ａ、３ｂ  天井パネル片（下地材断片）
３ｘ  直交部
３ｙ  平行部
４  石膏ボード（天井板）
５  金物（吊り具）
５ａ  梁側係合部
ａ１  金属板
ａ２  ボルト
ａ３  ナット
５ｂ  桟木側固定部
５ｃ  高さ調整部
ｃ１  高さ調整ボルト
ｃ２  ボルト支持部
ｃ３、ｃ４  ナット
ｃ５  蝶ナット
６  合板（板状部材）
７  合板取り付け材
８  断熱材
９  鋼板（板状部材）
Ｓ  隙間
【図１】
2018154968.tif 000003
【図２Ａ】
2018154968.tif 000004
【図２Ｂ】
2018154968.tif 000005
【図３】
2018154968.tif 000006